(57)【要約】【課題】  被検査物の３次元の設計値および複数の測定点における３次元の測定値を利用した検査成績書の作成において、使い勝手の良い検査成績書を作成することができる検査成績書作成方法、検査成績書作成装置および検査成績書作成プログラムを実現すること。【解決手段】  表示装置を用いた検査成績書作成方法であって、被検査物の３次元の設計値および複数の測定点における３次元の測定値を取得する取得工程と、前記設計値に基づいて、前記被検査物の３Ｄ画像を生成する生成工程と、前記生成工程により生成した前記３Ｄ画像と、前記複数の測定点における前記測定値とを関連づけて表示装置に表示するとともに、前記複数の測定点における測定の際の基準点を、前記設計値に基づいて表示装置に表示する表示工程とを有する。【選択図】      図１
2006234645.tif 000002
【特許請求の範囲】
【請求項１】
表示装置を用いた検査成績書作成方法であって、
被検査物の３次元の設計値および複数の測定点における３次元の測定値を取得する取得工程と、
前記設計値に基づいて、前記被検査物の３Ｄ画像を生成する生成工程と、
前記生成工程により生成した前記３Ｄ画像と、前記複数の測定点における前記測定値とを関連づけて前記表示装置に表示するとともに、前記複数の測定点における測定の際の基準点を、前記設計値に基づいて前記表示装置に表示する表示工程と
を有することを特徴とする検査成績書作成方法。
【請求項２】
請求項１に記載の検査成績書作成方法において、
前記取得工程では、前記被検査物に対する複数方向からの測定による前記測定値を取得し、
前記表示工程では、前記被検査物に対する複数方向からの測定による前記測定値を切り換えて前記表示装置に表示するか、または、一覧に前記表示装置に表示する
ことを特徴とする検査成績書作成方法。
【請求項３】
請求項１に記載の検査成績書作成方法において、
前記取得工程では、同一の前記被検査物について、複数のサンプルに対する測定による前記測定値を取得し、
前記表示工程では、前記複数のサンプルに対する測定による前記測定値を切り換えて前記表示装置に表示するか、または、一覧に前記表示装置に表示する
ことを特徴とする検査成績書作成方法。
【請求項４】
請求項１に記載の検査成績書作成方法において、
前記被検査物に関わる情報を取得する情報取得工程を有し、
前記表示工程では、前記３Ｄ画像と、前記複数の測定点における前記測定値との少なくとも一方に、前記情報取得工程により取得した前記被検査物に関わる情報を追加して前記表示装置に表示する
ことを特徴とする検査成績書作成方法。
【請求項５】
請求項１から請求項４の何れか１項に記載の検査成績書作成方法において、
前記表示工程により表示した前記３Ｄ画像に対するユーザ指示を受け付ける受付工程を有し、
前記表示工程では、前記受付工程において受け付けた前記ユーザ指示に基づいて、前記表示装置の表示内容を変更する
ことを特徴とする検査成績書作成方法。
【請求項６】
被検査物の３次元の設計値および複数の測定点における３次元の測定値を取得する取得部と、
前記設計値に基づいて、前記被検査物の３Ｄ画像を生成する生成部と、
前記生成部により生成した前記３Ｄ画像と、前記複数の測定点における前記測定値とを関連づけて表示するとともに、前記複数の測定点における測定の際の基準点を、前記設計値に基づいて表示する表示部と
を有することを特徴とする検査成績書作成装置。
【請求項７】
コンピュータを、請求項６に記載の取得部、生成部、表示部として機能させるための検査成績書作成プログラム。
【発明の詳細な説明】
【技術分野】
【０００１】
本発明は、被検査物の３次元の設計値および複数の測定点における３次元の測定値を利用した検査成績書作成方法、検査成績書作成装置および検査成績書作成プログラムに関する。
【背景技術】
【０００２】
近年、３Ｄデータを利用した設計が一般的になり、検査などの際にも自動測定により３Ｄデータを得る方法が知られている（例えば、特許文献１参照）。さらに、設計値や測定値を利用して、３Ｄ画像や測定値などを組み合わせた検査成績書の作成が行われている。このような検査成績書は、近年要望されているペーパーレス化の観点から見ても有用である。
【特許文献１】特開平５−２８２３８８号公報
【発明の開示】
【発明が解決しようとする課題】
【０００３】
しかし、上述した検査成績書は、ペーパーレス化が実現できる一方、使い勝手に問題が発生する場合もある。例えば、自動測定の際の基準点が一様でない場合には検査成績書において測定点ごとの基準点が不明確であることがある。また、複数方向からの測定が行われた場合や複数のサンプルに対する測定が行われた場合には複数の検査成績書が作成されてしまうことがある。さらに、手書きの検査成績書のように注釈文などの情報を容易に追加できないことがある。これらの問題が発生すると、検査成績書の作成者以外の人間にとっては、分かり難く、管理し難い検査成績書となってしまうことが考えられる。検査成績書は、作成者のみが使用するものではなく、様々な人間にとって分かり易く、管理し易いものであるのが好ましい。
【０００４】
本発明は、被検査物の３次元の設計値および複数の測定点における３次元の測定値を利用した検査成績書の作成において、使い勝手の良い検査成績書を作成することができる検査成績書作成方法、検査成績書作成装置および検査成績書作成プログラムを実現することを目的とする。
【課題を解決するための手段】
【０００５】
請求項１に記載の検査成績書作成方法は、表示装置を用いた検査成績書作成方法であって、被検査物の３次元の設計値および複数の測定点における３次元の測定値を取得する取得工程と、前記設計値に基づいて、前記被検査物の３Ｄ画像を生成する生成工程と、前記生成工程により生成した前記３Ｄ画像と、前記複数の測定点における前記測定値とを関連づけて前記表示装置に表示するとともに、前記複数の測定点における測定の際の基準点を、前記設計値に基づいて前記表示装置に表示する表示工程とを有することを特徴とする。
【０００６】
請求項２に記載の検査成績書作成方法は、請求項１に記載の検査成績書作成方法において、前記取得工程では、前記被検査物に対する複数方向からの測定による前記測定値を取得し、前記表示工程では、前記被検査物に対する複数方向からの測定による前記測定値を切り換えて前記表示装置に表示するか、または、一覧に前記表示装置に表示することを特徴とする。
【０００７】
請求項３に記載の検査成績書作成方法は、請求項１に記載の検査成績書作成方法において、前記取得工程では、同一の前記被検査物について、複数のサンプルに対する測定による前記測定値を取得し、前記表示工程では、前記複数のサンプルに対する測定による前記測定値を切り換えて前記表示装置に表示するか、または、一覧に前記表示装置に表示することを特徴とする。
【０００８】
請求項４に記載の検査成績書作成方法は、請求項１に記載の検査成績書作成方法において、前記被検査物に関わる情報を取得する情報取得工程を有し、前記表示工程では、前記３Ｄ画像と、前記複数の測定点における前記測定値との少なくとも一方に、前記情報取得工程により取得した前記被検査物に関わる情報を追加して前記表示装置に表示することを特徴とする。
【０００９】
請求項５に記載の検査成績書作成方法は、請求項１から請求項４の何れか１項に記載の検査成績書作成方法において、前記表示工程により表示した前記３Ｄ画像に対するユーザ指示を受け付ける受付工程を有し、前記表示工程では、前記受付工程において受け付けた前記ユーザ指示に基づいて、前記表示装置の表示内容を変更することを特徴とする。
請求項６に記載の検査成績書作成装置は、被検査物の３次元の設計値および複数の測定点における３次元の測定値を取得する取得部と、前記設計値に基づいて、前記被検査物の３Ｄ画像を生成する生成部と、前記生成部により生成した前記３Ｄ画像と、前記複数の測定点における前記測定値とを関連づけて表示するとともに、前記複数の測定点における測定の際の基準点を、前記設計値に基づいて表示する表示部とを有することを特徴とする。
【００１０】
請求項７に記載の検査成績書作成プログラムは、コンピュータを、請求項６に記載の取得部、生成部、表示部として機能させることを特徴とする。
【発明の効果】
【００１１】
本発明によれば、被検査物の３次元の設計値および複数の測定点における３次元の測定値を利用した検査成績書の作成において、使い勝手の良い検査成績書を作成することができる。
【発明を実施するための最良の形態】
【００１２】
以下、図面に基づいて、本発明の実施形態について詳細に説明する。なお、本実施形態では、コンピュータからなる検査成績書作成装置を例に挙げて説明を行う。
検査成績書作成装置１は、図１の機能ブロック図に示すように、液晶モニタなどの画像表示部２、制御部３、マウスおよびキーボードなどを含む操作部４、後述する設計値や測定値などを記憶する記憶部５、設計値に基づいて３Ｄ画像を生成する３Ｄ画像生成部６、ネットワークや外部機器などに接続して情報を取得する通信部７を備えたコンピュータ１０からなる。なお、制御部３は、不図示の内部メモリに、各種プログラムを予め記憶しているものとする。
【００１３】
制御部３は、まず、被検査物の３次元の設計値および複数の測定点における３次元の測定値を取得する。設計値および測定値は、操作部４を介したユーザ操作により取得するか、通信部７を介して取得する。
本実施形態では、図２に示す被検査物Ｓを被検査物として一連の説明を行う。被検査物Ｓは、図２（Ａ）の斜視図に示すように、直方体の中央に円筒状の空洞を有する。また、図２（Ｂ）に被検査物Ｓの展開図を示す。なお、図２における点Ａ〜点Ｒは、測定点である。図３に設計値および測定値の表を示す。図３において、「測定点」は、上述した点Ａ〜点Ｒを示し、「方向」は、測定方向を示す。また、「設計値」は、被検査物Ｓの設計値を示し、「上限公差」および「下限公差」は、ユーザにより指定された公差を示す。また、「実測値」は、被検査物Ｓを実際に測定した際の測定値を示し、この実測値は請求項の「測定値」に対応する。また、「誤差」は、「設計値」と「実測値」との差分を示す。また、「判定」は、「上限公差」および「下限公差」と「誤差」とに基づいて、合否判定を行った結果を示す。合否判定の具体的な方法は公知技術と同様であるため説明を省略する。また、合否判定の結果を設計値および測定値とともに取得するようにしても良いし、制御部３で合否判定を行うようにしても良い。また、「基準点」は、「設計値」および「実測値」の基準となる点を示す。
【００１４】
上述したように被検査物の３次元の設計値および複数の測定点における３次元の測定値を取得すると、制御部３は、取得した情報を記憶部５に記憶した後、操作部４を介したユーザ操作に基づいて、検査成績書を作成し、画像表示部２に表示するとともに、記憶部５に記憶する。
検査成績書は、３Ｄ画像と複数の測定点における測定値により構成される。そこで、制御部３は、まず、３Ｄ画像生成部６を介して被検査物Ｓの３Ｄ画像を生成する。３Ｄ画像は、例えばＸＶＬ形式などの形式で作成する。３Ｄ画像生成の具体的な方法は公知技術と同様であるため説明を省略する。
【００１５】
そして、制御部３は、操作部４を介したユーザ操作に基づいて、検査成績書を表示する。
（１）基準点に基づく表示
自動測定の際の基準点が一様でない場合には、測定点ごとの基準点を明確にするために、基準点に基づく表示を行う。
【００１６】
図３の表に示したように、被検査物Ｓは、点Ａ，Ｅ，Ｊ，Ｎの何れかを基準点として測定が行われている。したがって、制御部３は、図４に示すように、３Ｄ画像生成部６により生成した３Ｄ画像ａとともに、基準点を示すアイコンｂを画像表示部２に表示し、基準点をユーザにより選択可能にする。図４は、点Ａが選択された場合の例を示す。制御部３は、３Ｄ画像ａ上に点Ａを基準とした座標軸ｃ（ＸＹＺ座標系）を表示する。また、点Ａを◎で表示し、点Ａを基準とする測定点を●で表示し、他の点を基準とする測定点を○で表示することにより区別する。また、３Ｄ画像ａの下方に、点Ａを基準とする測定点における設計値や実測値などを表ｄの形で表示する。なお、座標軸ｃは、設計値に基づいて求める。
【００１７】
そして、例えば、アイコンｂにより基準点として点Ｊが選択されると、制御部３は、図５に示すように、３Ｄ画像ａ上に点Ｊを基準とした座標軸ｅ（θＲＺ座標系）を表示する。また、点Ｊを◎で表示し、点Ｊを基準とする測定点を●で表示し、他の点を基準とする測定点を○で表示することにより区別する。また、３Ｄ画像ａの下方に、点Ｊを基準とする測定点における設計値や実測値などを表ｆの形で表示する。なお、座標軸ｅは、設計値に基づいて求める。
【００１８】
なお、アイコンｂを用いて基準点を選択せずに、全ての基準点を同時に表示するようにしても良い。このような場合、３Ｄ画像ａ上のマークや色の表示を工夫することにより、それぞれの測定点の基準点や座標軸が明確になるように表示するのが好ましい。
（２）測定方向に基づく表示
複数方向からの測定が行われた場合には、１つのまとまった検査成績書とするために、測定方向に基づく表示を行う。
【００１９】
図２に示したように、被検査物Ｓは、面ＡＢＣＤを表面とすると、裏側の面ＥＦＧＨにも測定点（点Ｅ，Ｆ，Ｇ，Ｈ，Ｎ，Ｐ，Ｑ，Ｒ）を有する。したがって、測定は、面ＡＢＣＤ側からの第１の方向と面ＥＦＧＨ側からの第２の方向との複数方向から行われる。したがって、制御部３は、図６に示すように、３Ｄ画像生成部６により生成した３Ｄ画像ａとともに、測定方向を示す矢印ｇを画像表示部２に表示し、測定方向をユーザにより選択可能にする。図６は、第１の方向が選択された場合の例を示す。制御部３は、第１の方向から測定が行われた測定点を●で表示し、他の方向から測定が行われた測定点を○で表示することにより区別する。また、３Ｄ画像ａの下方に、第１の方向から測定が行われた測定点における設計値や実測値などを表ｈの形で表示する。なお、表ｈは、画像表示部２からはみ出して示されているが、これは、表ｈの内容を明示するためであり、スクロール機能などを用いて画像表示部２内に収まるように表示する。
【００２０】
そして、矢印ｇにより第２の方向（面ＥＦＧＨ側）が選択されると、制御部３は、図７に示すように、第２の方向からの３Ｄ画像ｊ（３Ｄ画像生成部６により生成される）を表示し、第２の方向から測定が行われた測定点を●で表示し、他の方向から測定が行われた測定点を○で表示することにより区別する。また、３Ｄ画像ａの下方に、第２の方向から測定が行われた測定点における設計値や実測値などを表ｋの形で表示する。なお、表ｋは、表ｈと同様に、スクロール機能などを用いて画像表示部２内に収まるように表示する。
【００２１】
なお、矢印ｇを用いて測定方向を選択せずに、３Ｄ画像ｊを回転表示し、３Ｄ画像ｊの変化に伴って表中の内容を変更するようにしても良い。また、測定方向ごとに図６と図７を切り換えて表示する代わりに、図６と図７を並べて一覧に表示するようにしても良い。
（３）複数のサンプルに対する測定が行われた場合の表示
検査精度の向上などの理由に起因して、同一の被検査物Ｓについて、複数のサンプルに対する測定が行われた場合には、制御部３は、比較可能に表示を行う。例えば、点Ｊについて、３つのサンプルに対する測定が行われた場合、制御部３は、図８に示すように、３Ｄ画像生成部６により生成した３Ｄ画像ｍを表示し、測定点である点Ｊを●で表示する。また、３Ｄ画像ｍの下方に、被検査物Ｓの設計値や公差など、複数のサンプルに共通する情報を表ｎの形で表示するとともに、実測値や誤差など、複数のサンプルで個別の情報を表ｐの形で表示する。
【００２２】
なお、複数のサンプルに対する測定の結果を一覧の形で表示する代わりに、シート状に重ね合わせ表示を行うなどして、切り換えて表示するようにしても良い。
（４）注釈文などの情報を追加する場合の表示
従来の手書きの検査成績書で行われていたのと同様に、注釈文などの情報を追加する場合には、制御部３は、画像表示部２に追加する情報を表示する。なお、追加する情報は、予め設計値および測定値とともに取得したものでも良いし、画像表示部２による表示時に操作部４を介したユーザ操作に基づいて取得したものでも良い。例えば、点Ｊについて、「○○の△△に注意」という注釈文が予め情報として取得されていた場合、制御部３は、図９に示すように、３Ｄ画像ｑを表示し、点Ｊの近傍にこの注釈文を吹き出しｒとして表示する。また、３Ｄ画像ｑの下方に、測定点である点Ｊにおける設計値や実測値などを表ｔの形で表示し、表ｔ中に吹き出しｒと同様の注釈文を表示する。
【００２３】
制御部３は、以上（１）〜（４）で説明した各表示を、被検査物Ｓの形状や測定の内容に応じて行う。なお、（１）〜（４）で説明した各技術を組み合わせるようにしても良い。また、（１）〜（４）で説明した方法以外でも、表示した３Ｄ画像に対するユーザ指示を受け付け、受け付けたユーザ指示に基づいて表示内容を変更するようにしても良い。例えば、ユーザにより測定点を選択させ、ユーザが選択した測定点における情報（実測値など）を、吹き出しの形で表示するようにしても良い。また、ユーザにより条件（例えば、「Ｘ＝０」など）を指定させ、条件に応じて３Ｄ画像や表の表示内容を変更するようにしても良い。
【００２４】
以上説明したように、本実施形態によれば、被検査物の３次元の設計値および複数の測定点における３次元の測定値を取得し、設計値に基づいて、被検査物の３Ｄ画像を生成する。そして、生成した３Ｄ画像と、複数の測定点における測定値とを関連づけて表示するとともに、複数の測定点における測定の際の基準点を、設計値に基づいて表示する。したがって、被検査物の３次元の設計値および複数の測定点における３次元の測定値を利用した検査成績書の作成において、使い勝手の良い検査成績書を作成することができる。特に、複数の測定点における測定の際の基準点を設計値に基づいて表示することにより、測定の基準点が一様でない場合でも、基準を明確に表示することができる。
【００２５】
また、本実施形態によれば、被検査物に対する複数方向からの測定による測定値を取得し、それらの測定値を切り換えて表示するか、または、一覧に表示する。したがって、被検査物の形状に起因して複数方向からの測定が行われた場合に、従来は複数の検査成績書が作成されていたのに対し、１つのまとまった検査成績書を作成することが可能になり、管理の面においても使い勝手が向上する。
【００２６】
また、本実施形態によれば、同一の被検査物について、複数のサンプルに対する測定による測定値を取得し、それらの測定値を切り換えて表示するか、または、一覧に表示する。したがって、検査精度の向上などの理由に起因して、同一の被検査物について、複数のサンプルに対する測定が行われた場合に、従来は複数の検査成績書が作成されていたのに対し、１つのまとまった検査成績書を作成することが可能になり、管理の面においても使い勝手が向上する。
【００２７】
また、本実施形態によれば、被検査物に関わる情報を取得し、３Ｄ画像と、複数の測定点における測定値との少なくとも一方に、取得した情報を追加して表示する。したがって、注釈文などの情報を、従来の手書きの検査成績書と同様に追加することが可能になり、使い勝手が向上する。特に、３Ｄ画像と、複数の測定点における測定値との少なくとも一方に情報の表示を行うことにより、複数の測定点のうちどの測定点に情報が付加されたかなど、情報が付加された対象箇所を明確にすることができる。
【００２８】
また、本実施形態によれば、表示した３Ｄ画像に対するユーザ指示を受け付け、受け付けたユーザ指示に基づいて、表示内容を変更する。したがって、ユーザは、３Ｄ画像を見ながら直感的な指示を行うことにより、所望の情報を得ることができる。
【図面の簡単な説明】
【００２９】
【図１】本発明の検査成績書作成装置１の機能ブロック図である。
【図２】被検査物Ｓを説明する図である。
【図３】設計値および測定値を示す表である。
【図４】画像表示部２の表示例を示す図である。
【図５】画像表示部２の表示例を示す図である。
【図６】画像表示部２の表示例を示す図である。
【図７】画像表示部２の表示例を示す図である。
【図８】画像表示部２の表示例を示す図である。
【図９】画像表示部２の表示例を示す図である。
【符号の説明】
【００３０】
１  検査成績書作成装置
２  画像表示部
３  制御部
４  操作部
５  記憶部
６  ３Ｄ画像生成部
７  通信部
【図１】
2006234645.tif 000003
【図２】
2006234645.tif 000004
【図３】
2006234645.tif 000005
【図４】
2006234645.tif 000006
【図５】
2006234645.tif 000007
【図６】
2006234645.tif 000008
【図７】
2006234645.tif 000009
【図８】
2006234645.tif 000010
【図９】
2006234645.tif 000011